(57)【要約】【課題】紙葉を綴じた後におけるリング状綴じ片の先端を、裏台紙に設けられた係止スリットへ挿入する際に、綴じ片先端が差し込み易く、かつ、係止スリット内へ差し込まれた後は、綴じ片先端の係止フックがスリットの裏側へ確実に係止されて、簡単に引っ張っても引き離せないような卓上カレンダーを提供する。【解決手段】  裏台紙２ｂにリング状綴じ片７の先端両側の係止フック１１が挿入される係止スリット１２が設けられていて、この係止スリット１２が、リング状綴じ片７の係止フック横幅を挿入できる長さの接続辺１３と、この接続辺１３の両端間に、裏台紙２ｂの上辺方向へ山形状に盛り上がる切込み線１５を設けることで形成される山形辺１４とから構成されている。【選択図】  図１
0003132114.tif 000002
【実用新案登録請求の範囲】
【請求項１】
上辺に通し穴を有する複数枚の紙葉と、これらの紙葉を綴じるための台紙とを備え、前記台紙は折り線を介して該台紙と接続するリング状綴じ片を有する表台紙と、このリング状綴じ片の先端の係止フックを挿着するための係止スリットを備えた裏台紙とからなっていて、
前記裏台紙の係止スリットが、表台紙のリング状綴じ片における折曲げ線との対称位置に、リング状綴じ片の係止フック横幅を挿入できる長さの接続辺と、この接続辺の両端間に、裏台紙の上辺方向へ山形状に盛り上がる切込み線を設けることで形成される山形辺とから構成されている卓上カレンダー。
【請求項２】
裏台紙の上辺部に切込み線によって設けられる係止スリットの山形辺がドーム形である請求項１の卓上カレンダー。
【請求項３】
裏台紙の上辺部に切込み線によって設けられる係止スリットの山形辺が台形形である請求項１の卓上カレンダー。
【考案の詳細な説明】
【技術分野】
【０００１】
本考案は、複数枚のカレンダー紙葉を、金具や合成樹脂系接着剤を用いずに、台紙の上辺に設けた紙製綴じ具により綴じることができて、年末の廃棄時に公害問題の発生を抑制できるようにしたカレンダー、特に、卓上カレンダーの改良に関するものである。
【背景技術】
【０００２】
従来より、卓上カレンダーとしては、断面山形状に組み立てた表台紙と裏台紙のうち表台紙の上面に各月毎の紙葉を配置し、各紙葉の上辺を表台紙と裏台紙の上辺に金属製リング、あるいは合成樹脂製リング、最近では紙、布製のリングによって綴じ込んだ構造のものが知られている。
【０００３】
これらのうち、各紙葉の上辺を金属製リング、あるいは合成樹脂製リングを用いて綴じるものでは、使用後の廃棄に際して焼却処理できないという問題とか、焼却すると有害ガスが発生して環境衛生上好ましくないという問題点が指摘されており、このような観点から、綴じ具の素材として紙だけを用いた卓上カレンダーの出現が望まれている。
【０００４】
従来においても、綴じ具の素材として紙だけを用いるカレンダーとしては、表台紙にこの台紙の一部を素材とするリング状綴じ片を設け、このリング状綴じ片によって複数枚のカレンダー紙葉を綴じた後に、該リング状綴じ片の先端を裏台紙に設けた差し込みスリット内に挿着するような卓上カレンダーの構造が知られている。
【０００５】
【特許文献１】実公昭６０−２１２５９号公報
【特許文献２】実用新案登録第３１１１７０６号公報
【特許文献３】実用新案登録第３１２２５０２号公報
【特許文献４】特開２００６−２４７８６５号公報
【考案の開示】
【考案が解決しようとする課題】
【０００６】
特許文献１の卓上カレンダーは、表台紙にリング状綴じ片を設けて、この綴じ片の先端を裏台紙に設けられた差し込みスリット内に挿着して、紙葉を綴じる構造である。
【０００７】
しかし、このカレンダーは、リング状綴じ片の先端が、該綴じ片の幅と同じであるため、綴じ片の先端を裏台紙に設けられた差し込みスリット内に挿着しても、この状態で綴じ片を外側へ引っ張ると、綴じ片の先端がスリット内から容易に抜け出てしまい、綴じ片先端をスリット内へ係止しておくことができず、従って、綴じ片としての機能を果たすことができないという問題を有している。
【０００８】
一方、特許文献２乃至特許文献４に示された卓上カレンダーには、表台紙に設けられるリング状綴じ片の先端に横幅を大きくした係止フックを設けて、この綴じ片先端の係止フックを裏台紙に設けた差し込みスリット内へ挿着する構造が示されている。
【０００９】
しかし、この差し込みスリットは、リング状綴じ片の先端の係止フックをスリット内へ差し込み易くするために、細長い四角形の穴からなっているために、綴じ片先端の係止フックが差し込みスリット内へ挿着されても綴じ片を左右に動かすと、一方の係止フックが差し込みスリットの外へ飛び出してしまうという問題を有している。
【００１０】
また、裏台紙に設けられる差し込みスリットは、綴じ片の先端の係止フックをスリット内へ差し込み易くするために、細長い四角形の窓穴としているので、窓穴形のカッターで上方から打ち抜くための切り込みを設けても、そのままではきれいに窓穴が開設されずに、切り屑が残されて穴が塞がれたままとなっている。
【００１１】
そのため、組み立ての際には、これらの塞さがれている四角形の窓穴を一個ずつ手作業により取り除かねばならず、スリット用窓穴屑を除去する作業に手間と時間を必要とするという問題、また、製品中に屑が入り込まないように検査をきびしくする必要や、ごみの発生に伴う作業能率の低下を解消しなければならないという問題を有していた。
【課題を解決するための手段】
【００１２】
本考案は、従来におけるこの種のカレンダーの問題点を解消するために、リング状綴じ片の先端両側の係止フックが挿入される裏台紙の差し込みスリットを、綴じ片先端が差し込み易く、かつ、差し込まれた後は係止フックがスリットの裏側へ確実に係止されることで、簡単に引っ張っても引き離せないようなロック作用をはたすことのできる紙製卓上カレンダーの構造を提供する。
ことのできる
【００１３】
本考案のカレンダーは、そのための具体的手段として、上辺に通し穴を有する複数枚の紙葉と、これらの紙葉を綴じるための台紙とを備え、前記台紙は折り線を介して該台紙と接続するリング状綴じ片を有する表台紙と、このリング状綴じ片の先端の係止フックを挿着するための係止スリットを備えた裏台紙とからなっていて、前記裏台紙の係止スリットが、表台紙のリング状綴じ片における折曲げ線との対称位置に、リング状綴じ片の係止フック横幅を挿入できる長さの接続辺と、この接続辺の両端間に、裏台紙の上辺方向へ山形状に盛り上がる切込み線を設けることで形成される山形辺とから構成されていることを特徴とする。
【００１４】
裏台紙の上辺部に、切込み線によって設けられる係止スリットの山形辺は、接続辺の両端間に、山形状に盛り上がる形状であれば、ドーム形でも台形でも三角形であってもよい。
【考案の効果】
【００１５】
本考案のカレンダーは、裏台紙に設けられるリング状綴じ片の係止スリットを、綴じ片の先端の係止フック横幅が挿入できる長さの接続辺と、この接続辺の両端間に、裏台紙の上辺方向へ山形状に設けられた切込み線とにより形成される山形辺とにより構成したので、綴じ片の先端を係止スリットへ挿着する際には、切込み線による係止スリットの山形辺を上方へ僅かに引き上げて穴を開き、このスリット内に綴じ片の先端を挿入すると、綴じ片の先端の係止フックが切込み線により仕切られた山形辺の外側の枠辺肩部へロック状に係合した状態となり、係止フックが係止スリットから抜け出ることを防止して、確実な連結係合状態を得ることができる。
【００１６】
裏台紙に設けられる係止スリットは、裏台紙の一部である接続辺と、この接続辺の両端間に、上方へ湾曲するように山形に設けた切込み線により形成される山形辺とにより構成したので、従来のこの種のカレンダーの差し込みスリットのように、台紙の一部を細長い四角形に開口する必要がなく、従って、窓穴を開設する手間や、排出された切り屑を確実に排除するための工程を省略できるという利点を有する。
【考案を実施するための最良の形態】
【００１７】
次に、本考案に係る卓上カレンダーの構造を、図１に示す実施例について説明すると、この考案のカレンダーは、複数枚のカレンダー紙葉１と、これらの紙葉１を保持するための厚手の台紙２とから基本的に構成されており、図１は複数枚のカレンダー紙葉１を上方へ持ち上げた状態で、台紙２の形状と、台紙２の表側に綴じられるリング状綴じ片７の形状と、このリング状綴じ片７による綴じ方とを順に説明している。
【００１８】
図２のように、台紙２は、所定の大きさの厚紙の中央部に折り線３を設けて、この折り線３の両側に表台紙２ａと裏台紙２ｂとが設けられており、さらに、表台紙２ａの外側には折り線４を介して止め孔５ｂをもった底板６ａ、及び裏台紙２ｂの外側には同様な折り線４を介して突片５ａをもった底板６ｂとが設けられていて、これらの突片５ａと止め孔５ｂとを接合することで底板６ａ、６ｂが重合され、全体が断面山形状に組み立てられるように構成される。
【００１９】
表台紙２ａには、折り線３のやや下方に、折曲げ線８、小孔９、切込み線１０を備えるとともに、先端の両側へ係止フック１１を突出させたリング状綴じ片７が、間隔をおいて複数個設けられている。
【００２０】
紙葉１は、上辺１ａのやや下方に、前記表台紙２ａに設けられたリング状綴じ片７の先端部を挿通することのできる複数個のスリット１６が、互いに所定の幅間隔をおいて開設されている。
【００２１】
表台紙２ａのリング状綴じ片７は、図４に示すように、表台紙２ａの折り線３より下方の、前記紙葉１のスリット１６と対応する高さ位置に、それぞれ台紙折り線３と平行な向きに設けられた折曲げ線８と、この折曲げ線８の両端部から、折り線３と直交する向きで下方向へ延びるように、紙葉１のスリット１６内へ挿通可能な幅Ｙをもった一対の切込み線１０、１０を設けることによって形成されている。
【００２２】
また、リング状綴じ片７は、図１及び図４に示すように、折曲げ線８を起点として表台紙２ａの前面方向へ折り曲げられてから、先端の係止フック１１を各紙葉１のスリット１６内へ挿通し、次いで台紙折り線３の上方で裏台紙２ｂの表面方向へリング状に巻回して、係止フック１１を裏台紙１２ｂの係止スリット１２内へ差し込むことができるような長さＨを有している。
【００２３】
図１及び図２に示すように、裏台紙２ｂには、折り線３のやや下方に、表台紙２ａに設けられた、リング状綴じ片７の係止フック１１が差し込まれるための係止スリット１２が設けられている。
【００２４】
この係止スリット１２は、図５及び図６に示すように、表台紙のリング状綴じ片７における折曲げ線８との対称位置に、リング状綴じ片７における係止フック１１の横幅を挿入できる長さの接続辺１３と、この接続辺１３の両端間に、裏台紙２ｂの上辺方向へ山形状に湾曲する切込み線１５を設けることで形成される山形辺１４とから構成されている。
【００２５】
図５に示すように、裏台紙２ｂに設けられる係止スリット１２は、接続辺１３の長さＬと、リング状綴じ片７における係止フック１１の横幅Ｗとが、ほぼ同じか、係止フック１１の横幅Ｗが幾分短くなっていて、リング状綴じ片７の先端の係止フック１１を挿着する際に、係止フック１１を、接続辺１３の上方の山形辺１４の裏側へ楽に差し込めるようになっている。
【００２６】
表台紙２ａのリング状綴じ片７により紙葉１を綴じる際には、図１に示す綴じ片７Ｃのように、それぞれの綴じ片７を折曲げ線８を起点として表台紙２ａの表面から引き出し、リング状に巻回しながら先端を紙葉１のスリット１６内へ挿着した後、次に裏台紙２ｂの係止スリット１２内へ挿着する。
【００２７】
また、リング状綴じ片７の係止フック１１を裏台紙２ｂの係止スリット１２内へ挿着する際には、図６ａに示したように、山形辺１４を接続辺１３を起点として僅かに開いた状態としておき、綴じ片７の係止フック１１を山形辺１４の裏側方向へ挿入する。
【００２８】
図６ｂに示したように、綴じ片７の先端の係止フック１１が山形辺１４の裏側内に隠れる程度に挿入した後、図６ｃのように、綴じ片７を最初挿入した方向とは反対の方向へ引き戻すと、係止フック１１の両端部１１ａが、切込み線１５により内と外とに仕切られた山形辺１４の外側の枠辺肩部１４ａの裏側へロック状に引っ掛かり、それ以後係止フック１１と係止スリット１２との確実な係止状態が得られる。
【００２９】
図５及び図６では、係止スリット１２の山形辺１４を曲線によるドーム形としたが、山形辺１４は図７に示したように、台形であってもよい。
【産業上の利用可能性】
【００３０】
本考案に係る卓上カレンダーは、複数枚の紙葉を綴じる紙製リング状綴じ片の先端両側に係止フックを設けるとともに、この係止フックが挿入される裏台紙の係止スリットを、山形状の切込み線からなる山形辺により構成したので、綴じ片先端が山形辺内でロック状に係合する確実性のある係合状態が得られるとともに、係止スリットを窓穴状に開口しないことにより、切り屑の発生を解消することができ、作業能率の向上と高い実用性とを期待できる。
【図面の簡単な説明】
【００３１】
【図１】本考案のカレンダーの構成を示す一部切欠き斜視図。
【図２】図１のカレンダーを形成する台紙の平面図。
【図３】組立てられたカレンダーの形状を示す断面図。
【図４】表台紙に設けられるリング状綴じ片の形状を示す拡大平面図。
【図５】リング状綴じ片の係止フックと係止スリットの形状を示す平面図。
【図６】リング状綴じ片を係止スリットへ係止するための手順を示す斜視図。
【図７】係止スリットの別の形状を示す平面図。
【符号の説明】
【００３２】
１：紙葉、
２：台紙、
２ａ：表台紙、
２ｂ：裏台紙、
３：折り線、
４：折り線、
５ａ：突片、
５ｂ：止め孔、
６ａ，６ｂ：底板、
７：リング状綴じ片、
８：折曲げ線、
９：小孔、
１０：切込み線、
１１：係止フック、
１２：係止スリット、
１３：接続辺、
１４：山形辺、
１４ａ：枠辺肩部、
１５：切込み線、
１６：スリット
【図１】
0003132114.tif 000003
【図２】
0003132114.tif 000004
【図３】
0003132114.tif 000005
【図４】
0003132114.tif 000006
【図５】
0003132114.tif 000007
【図６】
0003132114.tif 000008
【図７】
0003132114.tif 000009